(57)【特許請求の範囲】
【請求項１】
媒体を支持する上側挿入口テーブル及び下側挿入口テーブルが、装置の上下方向に配設されて設けられ、前記上側挿入口テーブル及び前記下側挿入口テーブル上にセットされた媒体を、該媒体の先端部から装置内に取り込んで所定の処理を行った後、後端部から前記上側挿入口テーブル及び前記下側挿入口テーブルへと戻す媒体処理装置において、
前記上側挿入口テーブルにセットされた、所定の長さ以上の媒体を検知する媒体検知センサと、
前記上側挿入口テーブルの下部に設けられ、駆動されると、前記媒体の後端部を上方へと持ち上げる方向に風を送る送風機と、
前記上側挿入口テーブルに前記媒体がセットされた状態において、前記媒体検知センサが前記媒体を検知すると、前記送風機を駆動する制御を行う制御手段とを設けたことを特徴とする媒体処理装置。
【請求項２】
媒体を支持する上側挿入口テーブル及び下側挿入口テーブルが、装置の上下方向に配設されて設けられ、前記上側挿入口テーブル及び前記下側挿入口テーブル上にセットされた媒体を、該媒体の先端部から装置内に取り込んで所定の処理を行った後、後端部から前記上側挿入口テーブル及び前記下側挿入口テーブルへと戻す媒体処理装置において、
前記上側挿入口テーブルにセットされた、所定の長さ以上の媒体を検知する媒体検知センサと、
駆動されることにより、装置内から前記上側挿入口テーブル上へと戻ってきた前記媒体が突き当たる位置へと突出するガイドストッパと、
前記上側挿入口テーブルに前記媒体がセットされた状態において、前記媒体検知センサが前記媒体を検知すると、前記媒体を、該媒体の後端部が前記ガイドストッパを通過するまで装置内部方向へと所定距離搬送し、その後、前記ガイドストッパを駆動して該ガイドストッパを突出状態とすると共に、前記媒体の後端部が前記ガイドストッパに突き当たって前記媒体の後端部が上方に膨らんだ状態となるまで、所定距離だけ前記媒体を逆送させる制御を行う制御手段とを設けたことを特徴とする媒体処理装置。
【請求項３】
前記ガイドストッパは、前記上部挿入口テーブルの下部に設けられ、駆動されると、前記上側挿入口テーブルに形成された切り欠き部から、前記上部挿入口テーブル面よりも上方へと突出する請求項２記載の媒体処理装置。
【発明の詳細な説明】
【０００１】
【発明の属する技術分野】
本発明は、証書、通帳や一般帳票等の様々な媒体に処理を行う媒体処理装置に関する。
【０００２】
【従来の技術】
従来の、証書、通帳や一般帳票等の様々な媒体に処理を行う媒体処理装置の構成について説明する。図２１は従来例の印字装置の構成を示す説明図である。
【０００３】
図２１において、媒体処理装置（以下印字装置とする）１のフレームには、装置の上下方向に媒体挿入排出口１２、１３がそれぞれ形成されており、上側の媒体挿入排出口１２に対応する位置には上側挿入口テーブル２が形成され、一方、下側の媒体挿入排出口１３に対応する位置には下側挿入口テーブル３が形成されている。これら上側挿入口テーブル２及び下側挿入口テーブル３は、装置内部へと挿入される媒体がセットされる、あるいは装置内から排出された媒体が載置されるものである。
【０００４】
媒体挿入排出口１２には、装置後方へと伸びる搬送路６ａが接続され、一方媒体挿入排出口１３には、装置後方へと伸びる搬送路６ｂが接続されている。そしてこれらの搬送路６ａ、６ｂは合流し、合流した搬送路７は更に装置後方へと伸びている。なお、搬送路６ａと搬送路６ｂとが合流する地点には、搬送方向を切替える切替えブレード９が設けられている。
【０００５】
これら搬送路６ａ、６ｂと搬送路７にはそれぞれ複数個の搬送ローラ８が設けられている。これら搬送ローラ８は図示せぬモータの駆動により正逆両方向に回転し、上側挿入口テーブル２及び下側挿入口テーブル３にセットされた媒体を装置内部方向へと、あるいは排出方向へと搬送する。
【０００６】
なお、搬送路７には媒体情報を読み取る光学スキャナ１０と、媒体にデータの印字を行う印字ヘッド１１とが設けられている。
【０００７】
次に上記構成における印字装置１の印字動作について説明する。なお、今回は上側挿入口テーブル２と下側挿入口テーブル３の両方に媒体がセットされ、両方の媒体に印字を行う動作について説明する。図２２は従来例の印字装置の動作を示す説明図である。
【０００８】
まずオペレータが図２２に示すように証書４を上側挿入口テーブル２にセットし、一方通帳５を下側挿入口テーブル３にセットする。なお、このとき、証書４及び通帳５の先端部は、媒体挿入排出口１２及び媒体挿入排出口１３近傍に設けられた搬送ローラ８に挟持された状態となっている。
【０００９】
そしてこの状態でセットが終了し、図示せぬスイッチの押下、あるいは上位装置からの指示を受けると、印字装置１の図示せぬ制御部は、切替えブレード９を搬送路６ｂと搬送路７とを接続する方向に回動させると共に、搬送路６ｂ及び搬送路７に設けられた搬送ローラ８を回転させる。これにより通帳５を装置内部方向へと搬送し、光学スキャナ１０により通帳５上の媒体情報を読み取り、また印字ヘッド１１によりデータの印字を行う。印字動作が終了すると、印字装置１の図示せぬ制御部は、搬送路６ｂ及び搬送路７に設けられた搬送ローラ８を媒体吸入時とは逆方向に回転させ、通帳５を下側挿入口テーブル３へと戻す。
【００１０】
制御部は、通帳５が下側挿入口テーブル３に戻ったことを検知すると、切替えブレード９を搬送路６ａと搬送路７とを接続する方向に回動させると共に、搬送路６ａ及び搬送路７に設けられた搬送ローラ８を回転させる。これにより証書４を装置内部方向へと搬送し、光学スキャナ１０により証書４上の媒体情報を読み取り、また印字ヘッド１１によりデータの印字を行う。印字動作が終了すると、印字装置１の図示せぬ制御部は、搬送路６ａ及び搬送路７に設けられた搬送ローラ８を媒体吸入時とは逆方向に回転させ、証書４を上側挿入口テーブル２へと戻す。
【００１１】
このようにして、上側挿入口テーブル２及び下側挿入口テーブル３にセットされた媒体に印字を行っている。
【００１２】
【発明が解決しようとする課題】
上記従来の印字装置においては、上側挿入口テーブル２に長さの長い証書４をセットした場合、この証書４の後端部が上側挿入口テーブル２からはみ出して垂れ下がってしまい、下側挿入口テーブル３を上から覆ってしまい、オペレータが下側挿入口テーブル３に通帳５をセットしようとする場合に、セット性が非常に悪いという問題点があった。
【００１３】
例えば、下側挿入口テーブル３に設けられている位置合わせのための目印に、通帳５に印刷されている目印を合わせてから、通帳５を装置内に挿入して印刷を行う場合、上側挿入口テーブル２にセットされた証書４の後端部が下側挿入口テーブル３を上から覆ってしまうと、装置の目印に、通帳５の目印を合わせるときの通帳５のセット性が悪いので、印字位置ズレが発生しやすくなってしまうという問題点があった。
【００１４】
このようなセット性の悪さを生じさせないためには、始めに下側挿入口テーブル３に通帳５をセットした後、上側挿入口テーブル２に証書４をセットすれば良いが、セットの順序性が発生してしまうという問題点があった。
【００１５】
一方、上記セット性の悪さを生じさせないための他の方法として、証書４の垂れ下がりを防止するために上側挿入口テーブル２を広くする方法が考えられるが、この場合、印字装置１が大型化してしまうという問題点があった。
【００１６】
【課題を解決するための手段】
上記課題を解決するために本発明の代表的な構成は、媒体を支持する上側挿入口テーブル及び下側挿入口テーブルが、装置の上下方向に配設されて設けられ、前記上側挿入口テーブル及び前記下側挿入口テーブル上にセットされた媒体を、該媒体の先端部から装置内に取り込んで所定の処理を行った後、後端部から前記上側挿入口テーブル及び前記下側挿入口テーブルへと戻す媒体処理装置において、前記上側挿入口テーブルにセットされた、所定の長さ以上の媒体を検知する媒体検知センサと、前記上側挿入口テーブルの下部に設けられ、駆動されると、前記媒体の後端部を上方へと持ち上げる方向に風を送る送風機と、前記上側挿入口テーブルに前記媒体がセットされた状態において、前記媒体検知センサが前記媒体を検知すると、前記送風機を駆動する制御を行う制御手段とを設けたものである。
【００１７】
上記構成によれば、所定の長さ以上の媒体が上側挿入口テーブルにセットされると、媒体検知センサが媒体を検知する。これにより制御手段は所定の長さ以上の媒体が上側挿入口テーブルにセットされたことを認識する。すると制御手段は送風機を駆動して、上側挿入口テーブルにセットされた状態の媒体の後端部を上方へと持ち上げる。
【００１８】
【発明の実施の形態】
以下、本発明の実施の形態を図面に従って説明する。なお各図面に共通する要素には同一の符号を付す。
【００１９】
第１の実施の形態
図１は第１の実施の形態の印字装置の構成を示す説明図、図２は第１の実施の形態の上側挿入口テーブルを示す平面図、図３は第１の実施の形態のフラッパとソレノイドとの関係を示す説明図である。
【００２０】
図１において、媒体処理装置（以下印字装置とする）２１のフレームには、装置の上下方向に媒体挿入排出口３２、３３がそれぞれ形成されており、上側の媒体挿入排出口３２に対応する位置には上側挿入口テーブル２２が形成され、一方、下側の媒体挿入排出口３３に対応する位置には下側挿入口テーブル２３が形成されている。これら上側挿入口テーブル２２及び下側挿入口テーブル２３は、装置内部へと挿入される媒体がセットされる、あるいは装置内から排出された媒体が載置されるものであり、上側挿入口テーブル２２には証書等様々な媒体がセットされ、また下側挿入口テーブル２３には通帳・帳票等様々な媒体がセットされる。
【００２１】
上記上側挿入口テーブル２２の下部には、媒体の後端部を上方に持ち上げるフラッパ３５が矢印Ａ−Ｂ方向に回動自在に設けられている。そしてこのフラッパ３５は、図２に示すように上側挿入口テーブル２２に形成された切り欠き部２２ｃから突出するようになっている。このフラッパ３５の一端部は軸３６に固着されており、この軸３６の一端部３６ａと他端部３６ｂが印字装置２１のフレームにそれぞれ回転自在に軸支されている。そしてこれによりフラッパ３５が印字装置２１に対して回動自在となっている。また上側挿入口テーブル２２には保持部２２ａ、２２ｂが設けられている。この保持部２２ａ、２２ｂは図１に示す状態のフラッパ３５の底面に接触してフラッパ３５を保持するものであり、フラッパ３５が立ち上がった状態から元の位置に戻ってきた際に、フラッパ３５が回動しすぎることを防止する。
【００２２】
上記軸３６には、図３に示すようにリンク６３の一端部が固定されている。そしてこのリンク６３の他端部に形成された穴には、ソレノイド６６の鉄芯６６ａの一端部が、穴内を移動自在に引っ掛かっている。そしてソレノイド６６が通電されると、鉄芯６６ａが矢印Ｋ方向に移動してリンク６３が回動し、フラッパ３５は軸３６を中心に矢印Ａ方向に回動して立ち上がり、これにより上側挿入口テーブル２２にセットされている媒体（証書２４）の後端部は上方へと持ち上げられる。一方ソレノイド６６への通電が停止されると、ソレノイド６６の鉄芯６６ａが図示せぬスプリングの付勢力により矢印Ｌ方向に移動してリンク６３が回動し、これによりフラッパ３５は矢印Ｂ方向へと回動し、上面が上側挿入口テーブル２２と略面一となる位置へと戻る。
【００２３】
そして媒体挿入排出口３２から離れた位置には、上側挿入口テーブル２２にセットされた、所定の長さ以上の媒体を検知する媒体検知センサ３４が設けられている。すなわち、この媒体検知センサ３４は上側挿入口テーブル２２にセットされた媒体であって、比較的長い長さの媒体を検知する。そしてこの検知結果は後述する制御部へと送信される。
【００２４】
図１において、媒体挿入排出口３２には、装置後方へと伸びる搬送路２６ａが接続され、一方媒体挿入排出口３３には、装置後方へと伸びる搬送路２６ｂが接続されている。そしてこれらの搬送路２６ａ、２６ｂは合流し、合流した搬送路２７は更に装置後方へと伸びている。なお、搬送路２６ａと搬送路２６ｂとが合流する地点には、搬送方向を切替える切替えブレード２９が設けられている。
【００２５】
これら搬送路２６ａ、２６ｂと搬送路２７にはそれぞれ複数個の、搬送手段である搬送ローラ２８が設けられている。これら搬送ローラ２８は後述するモータの駆動により正逆両方向に回転し、上側挿入口テーブル２２及び下側挿入口テーブル２３にセットされた媒体を装置内部方向へと、あるいは排出方向へと搬送する。
【００２６】
なお、搬送路２７には媒体情報を読み取る光学スキャナ３０と、媒体にデータの印字を行う印字ヘッド３１とが設けられている。
【００２７】
次に印字装置２１の制御系について説明する。なお、ここでは本実施の形態の説明に必要な箇所のみ説明する。図４は第１の実施の形態の印字装置の制御系を示すブロック図である。
【００２８】
図４において、印字装置２１には装置全体を制御する制御手段である制御部６１が設けられている。この制御部６１はモータ用のドライバ６２と接続されており、制御部６１はドライバ６２を介してモータ６４を駆動する。なお、モータ６４は駆動されることにより、搬送ローラ２８を正方向あるいは逆方向に回転させるものであり、２〜３個使用され、各々搬送ローラ２８を回転駆動する。制御部６１はまた切替えブレード２９及びソレノイド６６と接続されており、切替えブレード２９を回動させると共に、ソレノイド６６に通電し、これによりソレノイド６６の鉄芯６６ａは矢印Ｋ方向へと移動する。
【００２９】
制御部６１は更に光学スキャナ３０と印字ヘッド３１と接続されており、光学スキャナ３０から読み取った媒体情報を受信すると共に、印字ヘッド３１に印字するデータを送信する。制御部６１はまた媒体検知センサ３４と接続されており、制御部６１は、媒体検知センサ３４から媒体を検知したことを示す信号を受信する。
【００３０】
次に上記構成における印字装置２１の印字動作について説明する。なお、今回は上側挿入口テーブル２２と下側挿入口テーブル２３の両方に媒体がセットされ、両方の媒体に印字を行う動作について説明する。図５、図６は第１の実施の形態の印字装置の動作を示す説明図である。
【００３１】
まず図５に示すようにオペレータが証書２４を上側挿入口テーブル２２にセットする。このとき証書２４が長さの長い媒体であると、媒体検知センサ３４が証書２４を検知し、その検知結果を制御部６１へと送信する。すると、制御部６１は図３に示すソレノイド６６を通電する。これによりリンク６３が回動して、図６に示すようにフラッパ３５が矢印Ａ方向に回動して立ち上がり、これにより上側挿入口テーブル２２にセットされている証書２４の後端部はフラッパ３５に押されて上方へと持ち上げられる。
【００３２】
次にオペレータは通帳２５を図６に示すように下側挿入口テーブル２３にセットする。なお、このとき、証書２４及び通帳２５の先端部は、媒体挿入排出口３２及び媒体挿入排出口３３近傍に設けられた搬送ローラ２８に挟持された状態となっている。
【００３３】
そしてこの状態でセットが終了し、図示せぬスイッチの押下、あるいは上位装置からの指示を受けると、印字装置２１の制御部６１は、切替えブレード２９を搬送路２６ｂと搬送路２７とを接続する方向に回動させる。また制御部６１は、ドライバ６２を介してモータ６４を駆動し、搬送路２６ｂ及び搬送路２７に設けられた搬送ローラ２８を回転させる。これにより通帳２５を先端部から装置内部方向へと搬送し、光学スキャナ３０により通帳２５上の媒体情報を読み取り、また印字ヘッド３１によりデータの印字を行う。印字動作が終了すると、印字装置２１の制御部６１はドライバ６２を介してモータ６４を駆動し、搬送路２６ｂ及び搬送路２７に設けられた搬送ローラ２８を媒体吸入時とは逆方向に回転させ、通帳２５を後端部から下側挿入口テーブル２３へと戻す。
【００３４】
制御部６１は、通帳２５が下側挿入口テーブル２３に戻ったことを検知すると、切替えブレード２９を搬送路２６ａと搬送路２７とを接続する方向に回動させる。また制御部６１は、ドライバ６２を介してモータ６４を駆動し、搬送路２６ａ及び搬送路２７に設けられた搬送ローラ２８を回転させる。これにより証書２４を先端部から装置内部方向へと搬送し、光学スキャナ３０により証書２４上の媒体情報を読み取り、また印字ヘッド３１によりデータの印字を行う。印字動作が終了すると、制御部６１はソレノイド６６への通電を停止する。するとフラッパ３５は上面が上側挿入口テーブル２２と略面一となる位置へと戻る。次に制御部６１はドライバ６２を介してモータ６４を駆動し、搬送路２６ａ及び搬送路２７に設けられた搬送ローラ２８を媒体吸入時とは逆方向に回転させ、証書２４を後端部から上側挿入口テーブル２２へと戻す。
【００３５】
このようにして、上側挿入口テーブル２２及び下側挿入口テーブル２３にセットされた媒体に印字を行っている。
【００３６】
なお、フラッパ３５が上側挿入口テーブル２２と略面一な状態へと戻るタイミングは、証書２４への印字動作の終了時だけではなく、証書２４を印字装置２１内部へ吸入するために搬送ローラ２８を回転した直後のタイミングでも良く、一方、全ての処理が終了したタイミング、すなわち印字装置２１内へと吸入した証書２４が再び上側挿入口テーブル２２へと戻されたタイミングでも良い。
【００３７】
また、媒体検知センサ３４の換わりに、フラッパ３５を回動させるためのスイッチを設け、オペレータがこのスイッチをオン／オフすることにより必要に応じて自由にフラッパ３５を回動させるようにしても良い。更に、ソレノイド６６を用いず、手動でフラッパ３５を回動させるようにして、フラッパ３５を図６に示す状態、あるいは図１に示すように上側挿入口テーブル２２と略面一な状態としても良い。また搬送ローラ２８の媒体クランプに連動させてフラッパ３５を回動させても良い。
【００３８】
以上第１の実施の形態においては、上側挿入口テーブル２２に長さの長い証書２４をセットした場合でも、証書２４の後端部を上方に持ち上げることにより、証書２４の後端部が上側挿入口テーブル２２からはみ出して垂れ下がってしまうことを防止することができるので、証書２４の後端部が下側挿入口テーブル２３を上から覆ってしまうことが無くなり、下側挿入口テーブル２３へのオペレータの視認性を向上させることができる。その結果、下側挿入口テーブル２３への通帳２５のセット性を向上させることができる。
【００３９】
例えば、下側挿入口テーブル２３に設けられている位置合わせのための目印に、通帳２５に印刷されている目印を合わせてから、通帳２５を装置内に挿入して印刷を行う場合に、上側挿入口テーブル２２にセットされた証書２４の長さが長くても、上記と同様に、証書２４の後端部を上方に持ち上げることにより、証書２４の後端部が上側挿入口テーブル２２からはみ出して垂れ下がってしまうことを防止することができるので、証書２４の後端部が下側挿入口テーブル２３を上から覆ってしまうことが無くなり、下側挿入口テーブル２３へのオペレータの視認性を向上させることができる。その結果、下側挿入口テーブル２３の目印に、通帳２５の目印を合わせるときの通帳２５のセット性を向上させることができるので、印字位置ズレを防止することができる。
【００４０】
従って、始めに下側挿入口テーブル２３に通帳２５をセットした後、上側挿入口テーブル２２に証書２４をセットするというセットの順序性を無くすことができ、自由に媒体を挿入口テーブルにセットすることができる。
【００４１】
また、上側挿入口テーブル２２を広くして証書２４の垂れ下がりを防止する必要が無くなるので、印字装置２１を小型化することができる。
【００４２】
なお、フラッパ３５の換わりに図７に示すように上側挿入口テーブル２２の下部に、印字装置２１に対して出し入れ自在に設けられた、収納式のスライドガイド５１を設けても同様の効果を奏することができる。この場合、オペレータは証書２４を上側挿入口テーブル２２にセットした後、図８に示すようにスライドガイド５１を外部へと引き出してから該スライドガイド５１の一部である折り曲げ部５１ａを、図示せぬヒンジ部から上方に折り曲げる。すると上側挿入口テーブル２２にセットされている証書２４の後端部は折り曲げ部５１ａに押されて上方へと持ち上げられる。なお、この場合は、媒体検知センサ３４を設ける必要はない。
【００４３】
更に、フラッパ３５の換わりに図９に示すように上側挿入口テーブル２２の下部に、上方に風を送る送風機５２を設けても同様の効果を奏することができる。なお、この場合には、上側挿入口テーブル２２には、上記送風機５２からの風が通過する切り欠き部を形成する。
【００４４】
そしてこの場合には、オペレータが証書２４を上側挿入口テーブル２２にセットした際に、媒体検知センサ３４が証書２４を検知すると、送風機５２の電源がオン状態となり図１０に示すように上方に風を送り、証書２４の後端部を上方へと持ち上げる。
【００４５】
なお、上記スライドガイド５１を元の位置に戻すタイミング、及び送風機５２の送風を停止する（オフ状態とする）タイミングは、印字動作が終了した後等、フラッパ３５が上側挿入口テーブル２２と略面一な状態へと戻るタイミングと同様とすれば良い。なお、図７、図８、図９、図１０は第１の実施の形態の他の印字装置の構成を示す説明図である。
【００４６】
第２の実施の形態
次に第２の実施の形態について説明する。なお、上記第１の実施の形態と同様の箇所には同一符号を付して説明は省略する。図１１は第２の実施の形態の印字装置の構成を示す説明図、図１２は第２の実施の形態の上側挿入口テーブルを示す平面図、図１３は第２の実施の形態のガイドストッパとソレノイドとの関係を示す説明図である。
【００４７】
図１１において、媒体処理装置である印字装置４１のフレームには、上記第１の実施の形態と同様に、装置の上下方向に媒体挿入排出口３２、３３がそれぞれ形成されており、上側の媒体挿入排出口３２に対応する位置には上側挿入口テーブル２２が形成され、一方、下側の媒体挿入排出口３３に対応する位置には下側挿入口テーブル２３が形成されている。そして上側挿入口テーブル２２には証書等様々な媒体がセットされ、また下側挿入口テーブル２３には通帳・帳票等様々な媒体がセットされる。
【００４８】
また上記第１の実施の形態と同様に、印字装置４１には、搬送路２６ａ、搬送路２６ｂ、搬送路２７が形成され、搬送路２６ａと搬送路２６ｂとが合流する地点には、搬送方向を切替える切替えブレード２９が設けられている。そして搬送路２６ａ、２６ｂと搬送路２７にはそれぞれ複数個の、搬送手段である搬送ローラ２８が設けられている。また搬送路２７には光学スキャナ３０と、印字ヘッド３１とが設けられている。
【００４９】
上記上側挿入口テーブル２２の下部には、装置内から上側挿入口テーブル２２上へと戻ってきた媒体が突き当たるガイドストッパ４２が矢印Ｃ−Ｄ方向に移動自在に設けられている。そしてこのガイドストッパ４２は図１２に示すように上側挿入口テーブル２２の幅方向の略全体に渡って設けられており、上側挿入口テーブル２２に形成された切り欠き部２２ｄから突出するようになっている。なお、印字装置４１内部にはガイドストッパ４２の移動方向を支持する図示せぬ支持部が形成されている。
【００５０】
図１３に示すように、ガイドストッパ４２の下端部には、軸６９がガイドストッパ４２に対して回転自在に取付けられている。そしてこの軸６９には、ソレノイド６８への通電により回転するリンク６５の一端部が回転自在に軸支されている。なお、リンク６５は支点６５ａを中心として装置本体に回転自在に取付けられていると共に、リンク６５の他端部に形成された穴には、ソレノイド６８の鉄芯６８ａの一端部が、穴内を移動自在に引っ掛かっている。
【００５１】
そしてソレノイド６８が通電されると、ソレノイド６８の鉄芯６８ａが矢印Ｍ方向に移動してリンク６５が支点６５ａを中心として回転し、これによりガイドストッパ４２は矢印Ｃ方向へと移動して上側挿入口テーブル２２から突出する。一方ソレノイド６８への通電が停止されると、ソレノイド６８の鉄芯６８ａが図示せぬスプリングの不勢力により矢印Ｎ方向に移動してリンク６５が支点６５ａを中心に回転し、これによりガイドストッパ４２は矢印Ｄ方向へと移動し、上端部が上側挿入口テーブル２２と略面一となる位置へと戻る。
【００５２】
そして本第２の実施の形態の印字装置４１においても、上側挿入口テーブル２２にセットされた、所定の長さ以上の媒体を検知する媒体検知センサ３４が設けられている。そして媒体検知センサ３４の検知結果は後述する制御部へと送信される。
【００５３】
次に印字装置４１の制御系について説明する。なお、ここでは本実施の形態の説明に必要な箇所のみ説明する。図１４は第２の実施の形態の印字装置の制御系を示すブロック図である。
【００５４】
図１４において、印字装置４１には装置全体を制御する制御手段である制御部６７が設けられている。この制御部６７はモータ用のドライバ６２と接続されており、制御部６７はドライバ６２を介してモータ６４を駆動する。なお、モータ６４は駆動されることにより、搬送ローラ２８を正方向あるいは逆方向に回転させる。制御部６７はまた切替えブレード２９及びソレノイド６８と接続されており、切替えブレード２９を回動させると共に、ソレノイド６８に通電し、これによりソレノイド６８の鉄芯６８ａは矢印Ｍ方向へと移動する。
【００５５】
制御部６７は更に上記第１の実施の形態と同様に光学スキャナ３０と印字ヘッド３１と接続されていると共に、媒体検知センサ３４と接続されており、制御部６７は、媒体検知センサ３４から媒体を検知したことを示す信号を受信する。
【００５６】
次に上記構成における印字装置４１の印字動作について説明する。なお、今回は上側挿入口テーブル２２と下側挿入口テーブル２３の両方に媒体がセットされ、両方の媒体に印字を行う動作について説明する。図１５、図１６は第２の実施の形態の印字装置の動作を示す説明図である。
【００５７】
まずオペレータが証書２４を上側挿入口テーブル２２にセットする。なお、このとき、証書２４の先端部は、媒体挿入排出口３２近傍に設けられた搬送ローラ２８に挟持された状態となっている。また証書２４が長さの長い媒体であると、媒体検知センサ３４が証書２４を検知し、その検知結果を制御部６７へと送信する。すると、制御部６７は長さの長い媒体がセットされたと判定し、切替えブレード２９を搬送路２６ａと搬送路２７とを接続する方向に回動させる。またそれと共にドライバ６２を介してモータ６４を駆動して搬送路２６ａに設けられた搬送ローラ２８を回転させる。これにより図１５に示すように証書２４は先端部から装置内部方向（矢印Ｑ方向）へと搬送され、証書２４の後端部がガイドストッパ４２を通過した時点で、すなわち媒体検知センサ３４が証書２４を検知しなくなってから所定時間経過後に制御部６７はドライバ６２を介してモータ６４の駆動を停止して、搬送ローラ２８の回転を停止する。
【００５８】
次に制御部６７は、図１３に示すソレノイド６８に通電する。これによりリンク６５が回転し、ガイドストッパ４２を矢印Ｃ方向へと移動させて、図１６に示すように上側挿入口テーブル２２から突出させる。また制御部６７はドライバ６２を介してモータ６４を駆動して搬送ローラ２８を媒体吸入時とは逆方向に回転させる。これにより証書２４は後端部から上側挿入口テーブル２２方向（矢印Ｒ方向）へと搬送される。
【００５９】
なお、制御部６７は証書２４の先端部が切替えブレード２９よりも手前（媒体挿入排出口３２方向）の媒体待機位置に位置付けられた時点でドライバ６２を介してモータ６４の駆動を停止する。すなわち証書２４の後端部がガイドストッパ４２に突き当たってから所定時間経過するまで上側挿入口テーブル２２方向へと証書２４を所定距離逆送させる。なお、証書２４の先端部が媒体待機位置まで戻ったことは、例えば搬送路２６ａの媒体待機位置に、制御部６７と接続された図示せぬ媒体検知センサを設け、この媒体検知センサが証書２４を検知しなくなった時点で、証書２４の先端部が媒体待機位置まで戻ったと制御部６７が判断するようにしても良い。
【００６０】
このとき、上側挿入口テーブル２２へと戻ってきた証書２４の後端部はガイドストッパ４２に突き当たり、図１６に示すように後端部は上方に膨らんだ状態となる。
【００６１】
次にオペレータは通帳２５を下側挿入口テーブル２３にセットする。なお、このとき、通帳２５の先端部は、媒体挿入排出口３３近傍に設けられた搬送ローラ２８に挟持された状態となっている。
【００６２】
そしてこの状態でセットが終了し、図示せぬスイッチの押下、あるいは上位装置からの指示を受けると、印字装置４１の制御部６７は切替えブレード２９を搬送路２６ｂと搬送路２７とを接続する方向に回動させる。また制御部６７はドライバ６２を介してモータ６４を駆動し、搬送路２６ｂ及び搬送路２７に設けられた搬送ローラ２８を回転させる。これにより通帳２５を先端部から装置内部方向へと搬送し、光学スキャナ３０により通帳２５上の媒体情報を読み取り、また印字ヘッド３１によりデータの印字を行う。印字動作が終了すると、制御部６７はドライバ６２を介してモータ６４を駆動し、搬送路２６ｂ及び搬送路２７に設けられた搬送ローラ２８を媒体吸入時とは逆方向に回転させ、通帳２５を後端部から下側挿入口テーブル２３へと戻す。
【００６３】
制御部６７は、通帳２５が下側挿入口テーブル２３に戻ったことを検知すると、切替えブレード２９を搬送路２６ａと搬送路２７とを接続する方向に回動させる。また制御部６７はドライバ６２を介してモータ６４を駆動し、搬送路２６ａ及び搬送路２７に設けられた搬送ローラ２８を回転させる。これにより証書２４を先端部から装置内部方向へと搬送し、光学スキャナ３０により証書２４上の媒体情報を読み取り、また印字ヘッド３１によりデータの印字を行う。印字動作が終了すると、制御部６７はソレノイド６８への通電を停止する。するとガイドストッパ４２は上側挿入口テーブル２２の下部へと戻る。次に制御部６７はドライバ６２を介してモータ６４を駆動し、搬送路２６ａ及び搬送路２７に設けられた搬送ローラ２８を媒体吸入時とは逆方向に回転させ、証書２４を後端部から上側挿入口テーブル２２へと戻す。
【００６４】
このようにして、上側挿入口テーブル２２及び下側挿入口テーブル２３にセットされた媒体に印字を行っている。
【００６５】
以上第２の実施の形態においては、上側挿入口テーブル２２に長さの長い証書２４をセットした場合でも、証書２４の後端部を上方に膨らますことにより、証書２４の後端部が上側挿入口テーブル２２からはみ出して垂れ下がってしまうことを防止することができるので、証書２４の後端部が下側挿入口テーブル２３を上から覆ってしまうことが無くなり、下側挿入口テーブル２３へのオペレータの視認性を向上させることができる。その結果、下側挿入口テーブル２３への通帳２５のセット性を向上させることができる。
【００６６】
例えば、下側挿入口テーブル２３に設けられている位置合わせのための目印に、通帳２５に印刷されている目印を合わせてから、通帳２５を装置内に挿入して印刷を行う場合に、上側挿入口テーブル２２にセットされた証書２４の長さが長くても、上記と同様に、証書２４の後端部を上方に膨らますことにより、証書２４の後端部が上側挿入口テーブル２２からはみ出して垂れ下がってしまうことを防止することができるので、証書２４の後端部が下側挿入口テーブル２３を上から覆ってしまうことが無くなり、下側挿入口テーブル２３へのオペレータの視認性を向上させることができる。その結果、下側挿入口テーブル２３の目印に、通帳２５の目印を合わせるときの通帳２５のセット性を向上させることができるので、印字位置ズレを防止することができる。
【００６７】
従って、始めに下側挿入口テーブル２３に通帳２５をセットした後、上側挿入口テーブル２２に証書２４をセットするというセットの順序性を無くすことができ、自由に媒体を挿入口テーブルにセットすることができる。
【００６８】
また、上側挿入口テーブル２２を広くして証書２４の垂れ下がりを防止する必要が無くなるので、印字装置４１を小型化することができる。
【００６９】
なお、ガイドストッパ４２の換わりに図１７に示すように印字装置４１内部に収納空間を形成する媒体ガイドカバー５３を設け、また搬送路２６ａの媒体待機位置に、制御部６７と接続された図示せぬ媒体検知センサを設けても良い。
【００７０】
この場合、オペレータが証書２４を上側挿入口テーブル２２にセットした際に、媒体検知センサ３４が証書２４を検知し、証書２４を装置内部へと搬送した場合、印字ヘッド３１方向へと搬送されてくる証書２４の先端部を、搬送路２６ａの媒体待機位置に設けられた上記媒体検知センサが検知すると、制御部６７が、証書２４が媒体待機位置に達したと判断し、搬送ローラ２８ａ、及び搬送路２７に設けられた搬送ローラ２８の回転を停止させる。そして搬送ローラ２８ｂだけ正回転させて証書２４を一定時間搬送することにより、図１８に示すように上記媒体ガイドカバー５３内で証書２４の一部が膨らみ、これにより、証書２４の一部が媒体ガイドカバー５３に収納される。このように印字装置４１内部で、証書２４の一部を上方に膨らませても同様の効果を奏することができる。
【００７１】
更に、ガイドストッパ４２の換わりに図１９に示すように印字装置４１内部に、収納部である媒体ガイドカバー５４と、搬送路２６ａに、媒体の搬送方向を、媒体ガイドカバー５４と上側挿入口テーブル２２方向へと切替える、制御部６７と接続された切替えブレード５５と、切替えブレード５５の近傍の搬送路２６ａに、制御部６７と接続されると共に、媒体後端部が切替えブレード５５を通過したことを検知する図示せぬ媒体検知センサとを設けても良い。
【００７２】
この場合、オペレータが証書２４を上側挿入口テーブル２２にセットした際に、媒体検知センサ３４が証書２４を検知すると、制御部６７は切替えブレード２９を搬送路２６ａと搬送路２７とを接続する方向に回動させると共に、切替えブレード５５を搬送路２６ａ内に突出しない位置に位置付けておく。また制御部６７は搬送路２６ａ及び搬送路２７に設けられた搬送ローラ２８を、証書２４の後端部が搬送路２６ａに設けられた上記図示せぬ媒体検知センサに検知されなくなるまで回転させて停止させる。また上記図示せぬ媒体検知センサが証書２４の後端部を検知しなくなると、制御部６７は、証書２４の後端部が切替えブレード５５を通過したと判断して、切替えブレード５５を搬送路２６ａと媒体ガイドカバー５４とを接続する方向に回動させる。また制御部６７はドライバ６２を介してモータ６４を駆動し、搬送路２６ａ及び搬送路２７に設けられた搬送ローラ２８を媒体吸入時とは逆方向に回転させて証書２４を所定距離搬送することにより、図２０に示すように媒体ガイドカバー５４内に証書２４の後端部が収納される。
【００７３】
このように印字装置４１内部で、証書２４の一部を上方に膨らませても同様の効果を奏することができる。なお、図１７、図１８、図１９、図２０は第２の実施の形態の他の印字装置の構成を示す説明図である。
【００７４】
【発明の効果】
以上詳細に説明したように本発明によれば、上側挿入口テーブルにセットされた、所定の長さ以上の媒体を検知する媒体検知センサと、駆動されることにより、前記上側挿入口テーブルにセットされた状態の前記媒体の後端部を上方へと持ち上げるガイドと、前記上側挿入口テーブルに前記媒体がセットされた状態において、前記媒体検知センサが前記媒体を検知すると、前記ガイドを駆動する制御を行う制御手段とを設けたことにより、下側挿入口テーブルへの媒体のセット性を向上させることができ、また印字位置ズレを防止することができる。従って、セットの順序性を無くすことができ、また装置を小型化することができる。
【図面の簡単な説明】
【図１】第１の実施の形態の印字装置の構成を示す説明図である。
【図２】第１の実施の形態の上側挿入口テーブルを示す平面図である。
【図３】第１の実施の形態のフラッパとソレノイドとの関係を示す説明図である。
【図４】第１の実施の形態の印字装置の制御系を示すブロック図である。
【図５】第１の実施の形態の印字装置の動作を示す説明図である。
【図６】第１の実施の形態の印字装置の動作を示す説明図である。
【図７】第１の実施の形態の他の印字装置の構成を示す説明図である。
【図８】第１の実施の形態の他の印字装置の構成を示す説明図である。
【図９】第１の実施の形態の他の印字装置の構成を示す説明図である。
【図１０】第１の実施の形態の他の印字装置の構成を示す説明図である。
【図１１】第２の実施の形態の印字装置の構成を示す説明図である。
【図１２】第２の実施の形態の上側挿入口テーブルを示す平面図である。
【図１３】第２の実施の形態のガイドストッパとソレノイドとの関係を示す説明図である。
【図１４】第２の実施の形態の印字装置の制御系を示すブロック図である。
【図１５】第２の実施の形態の印字装置の動作を示す説明図である。
【図１６】第２の実施の形態の印字装置の動作を示す説明図である。
【図１７】第２の実施の形態の他の印字装置の構成を示す説明図である。
【図１８】第２の実施の形態の他の印字装置の構成を示す説明図である。
【図１９】第２の実施の形態の他の印字装置の構成を示す説明図である。
【図２０】第２の実施の形態の他の印字装置の構成を示す説明図である。
【図２１】従来例の印字装置の構成を示す説明図である。
【図２２】従来例の印字装置の動作を示す説明図である。
【符号の説明】
２１  媒体処理装置（印字装置）
２２  上側挿入口テーブル
２３  下側挿入口テーブル
２４  証書
２５  通帳
３４  媒体検知センサ
３５  フラッパ
４１  印字装置
４２  ガイドストッパ
５１  スライドガイド
５２  送風機
５４  媒体ガイドカバー
６１  制御部
６７  制御部
【図１】
0003834507.tif 000002
【図２】
0003834507.tif 000003
【図３】
0003834507.tif 000004
【図４】
0003834507.tif 000005
【図５】
0003834507.tif 000006
【図６】
0003834507.tif 000007
【図７】
0003834507.tif 000008
【図８】
0003834507.tif 000009
【図９】
0003834507.tif 000010
【図１０】
0003834507.tif 000011
【図１１】
0003834507.tif 000012
【図１２】
0003834507.tif 000013
【図１３】
0003834507.tif 000014
【図１４】
0003834507.tif 000015
【図１５】
0003834507.tif 000016
【図１６】
0003834507.tif 000017
【図１７】
0003834507.tif 000018
【図１８】
0003834507.tif 000019
【図１９】
0003834507.tif 000020
【図２０】
0003834507.tif 000021
【図２１】
0003834507.tif 000022
【図２２】
0003834507.tif 000023